(57)【要約】【課題】  被写体に設けられた無線ＩＣタグとの交信によって得られる被写体情報を用いて、被写体に応じた撮影を行う技術を提供する。【解決手段】  撮像装置は、被写体に設けられた無線ＩＣタグとの間で無線交信を行うことによって、無線ＩＣタグに記憶された被写体情報を取得し、当該取得された被写体情報に基づいて撮影動作を制御する（ステップＳＰ１２）。たとえば、被写体情報に含まれる被写体の色に関する情報に基づいて、色補正パラメータを設定し、ホワイトバランスを制御する。【選択図】図６
2006229833.tif 000002
【特許請求の範囲】
【請求項１】
撮像装置であって、
被写体に設けられた無線ＩＣタグとの間で無線交信を行うことによって、前記無線ＩＣタグに記憶された被写体情報を前記無線ＩＣタグから取得する手段と、
前記無線ＩＣタグから取得された前記被写体情報に基づいて撮影動作を制御する制御手段と、
を備えることを特徴とする撮像装置。
【請求項２】
請求項１に記載の撮像装置において、
前記制御手段は、前記被写体情報に応じて撮影パラメータを設定し、設定された前記撮影パラメータに基づいて撮影動作を制御することを特徴とする撮像装置。
【請求項３】
請求項２に記載の撮像装置において、
前記被写体情報は、前記被写体の色に関する色情報を有し、
前記制御手段は、前記色情報に応じて色補正パラメータを設定することを特徴とする撮像装置。
【請求項４】
請求項２または請求項３に記載の撮像装置において、
前記被写体情報は、前記被写体の輝度に関する輝度情報を有し、
前記制御手段は、前記輝度情報に応じて露出制御値を設定することを特徴とする撮像装置。
【請求項５】
請求項２から請求項４のいずれかに記載の撮像装置において、
前記被写体情報は、前記被写体のサイズに関するサイズ情報を有し、
前記制御手段は、前記サイズ情報に応じて焦点距離を設定することを特徴とする撮像装置。
【請求項６】
請求項１から請求項５のいずれかに記載の撮像装置において、
前記制御手段は、前記被写体情報に含まれる撮影禁止情報に基づいて、撮影動作を制御することを特徴とする撮像装置。
【請求項７】
請求項６に記載の撮像装置において、
前記制御手段は、前記被写体の撮影を禁止する旨が前記撮影禁止情報に規定されている場合には、撮影動作を禁止することを特徴とする撮像装置。
【請求項８】
請求項６または請求項７に記載の撮像装置において、
前記制御手段は、前記被写体の撮影を禁止する旨が前記撮影禁止情報に規定されている場合には、当該被写体に関する撮影動作が禁止されている旨を警告することを特徴とする撮像装置。
【発明の詳細な説明】
【技術分野】
【０００１】
本発明は、無線ＩＣタグとの交信を行う撮像装置に関する。
【背景技術】
【０００２】
近年、バーコードに代わる商品識別技術或いは商品管理技術として、無線ＩＣタグを用いたシステムが利用され始めている。無線ＩＣタグは、取り付ける対象物の識別番号（ＩＤ）或いは価格等の属性情報を格納することが可能である。無線ＩＣタグに格納されている当該属性情報は、無線ＩＣタグリーダを用いた無線通信によって読み取られる。
【０００３】
また、このような無線ＩＣタグリーダを撮像装置に備え付け、無線ＩＣタグを有する対象物を当該撮像装置を用いて撮影することによって、撮影画像データを取得するとともに被写体に関する情報（「被写体情報」とも称する）をも取得する技術が提案されている（特許文献１参照）。
【０００４】
【特許文献１】特開２００３−１７４５７８号公報
【発明の開示】
【発明が解決しようとする課題】
【０００５】
しかしながら、被写体に備え付けられた無線ＩＣタグから被写体情報を取得する撮像装置において、被写体に応じた撮影を行うという視点を有する技術は未だ存在しない。たとえば、上記のような撮像装置における撮影動作は、撮影者による手動設定動作あるいは撮像装置による自動設定動作のいずれを伴う場合においても、被写体情報とは独立した設定動作を伴って行われるため、被写体情報を反映したものにはなっていない。
【０００６】
そこで、この発明の課題は、被写体に設けられた無線ＩＣタグとの交信によって得られる被写体情報を用いて、被写体に応じた撮影を行う技術を提供することにある。
【課題を解決するための手段】
【０００７】
上記課題を解決すべく、請求項１の発明は、撮像装置であって、被写体に設けられた無線ＩＣタグとの間で無線交信を行うことによって、前記無線ＩＣタグに記憶された被写体情報を前記無線ＩＣタグから取得する手段と、前記無線ＩＣタグから取得された前記被写体情報に基づいて撮影動作を制御する制御手段とを備えることを特徴とする。
【０００８】
請求項２の発明は、請求項１の発明に係る撮像装置において、前記制御手段は、前記被写体情報に応じて撮影パラメータを設定し、設定された前記撮影パラメータに基づいて撮影動作を制御することを特徴とする。
【０００９】
請求項３の発明は、請求項２の発明に係る撮像装置において、前記被写体情報は、前記被写体の色に関する色情報を有し、前記制御手段は、前記色情報に応じて色補正パラメータを設定することを特徴とする。
【００１０】
請求項４の発明は、請求項２または請求項３の発明に係る撮像装置において、前記被写体情報は、前記被写体の輝度に関する輝度情報を有し、前記制御手段は、前記輝度情報に応じて露出制御値を設定することを特徴とする。
【００１１】
請求項５の発明は、請求項２から請求項４のいずれかの発明に係る撮像装置において、前記被写体情報は、前記被写体のサイズに関するサイズ情報を有し、前記制御手段は、前記サイズ情報に応じて焦点距離を設定することを特徴とする。
【００１２】
請求項６の発明は、請求項１から請求項５のいずれかの発明に係る撮像装置において、前記制御手段は、前記被写体情報に含まれる撮影禁止情報に基づいて、撮影動作を制御することを特徴とする。
【００１３】
請求項７の発明は、請求項６の発明に係る撮像装置において、前記制御手段は、前記被写体の撮影を禁止する旨が前記撮影禁止情報に規定されている場合には、撮影動作を禁止することを特徴とする。
【００１４】
請求項８の発明は、請求項６または請求項７の発明に係る撮像装置において、前記制御手段は、前記被写体の撮影を禁止する旨が前記撮影禁止情報に規定されている場合には、当該被写体に関する撮影動作が禁止されている旨を警告することを特徴とする。
【発明の効果】
【００１５】
請求項１ないし請求項８に記載の発明によれば、被写体に設けられた無線ＩＣタグとの無線交信によって得られる被写体情報に基づいて撮影動作が制御されるので、被写体に応じた撮影を行うことができる。
【発明を実施するための最良の形態】
【００１６】
以下、本発明の実施形態を図面に基づいて説明する。
【００１７】
＜１．システム構成＞
図１は、被写体に備え付けられる無線ＩＣタグ１１の構成を示す図である。図２は、無線ＩＣタグ１１内のＩＣチップ１２に保存されている情報（以下、「タグ情報」とも称する）の一例を示す図である。
【００１８】
図１に示すように、無線ＩＣタグ１１は、ＩＣチップ１２とタグアンテナ１３とを備えている。ＩＣチップ１２は、パッケージされた半導体集積回路で構成されており、図２に示されるようなタグ情報を保持（格納）することができる。タグ情報には、無線ＩＣタグ１１を備え付けている被写体に関連する情報（以下、「被写体情報」とも称する）が含まれている。この被写体情報は、被写体自身の属性を示す属性情報と、被写体の画像に関する動作内容を指定する指定情報とを有している。前者の属性情報としては、例えば被写体である商品の製造メーカ、商品名、製造年月日、色情報、および商品サイズ等が含まれる。また、後者の指定情報としては、例えば、撮影禁止情報、コピー禁止情報、および消去禁止情報等が含まれる。
【００１９】
また、無線ＩＣタグの種類としては、ＩＣタグ内に電源を持たず外部のリーダ／ライタから発信された電波のエネルギーを利用してタグ情報を送信する電源非内蔵タイプ（パッシブタイプ）と、ＩＣタグ内に電源を持ち能動的にタグ情報を送信できる電源内蔵タイプ（アクティブタイプ）とが存在する。
【００２０】
図３は、本発明に係る撮像装置２０の外観構成を示す図である。図３（ａ）は正面図であり、図３（ｂ）は背面図である。
【００２１】
図３（ａ）及び図３（ｂ）に示すように、撮像装置２０は、その背面にＬＣＤと操作ボタン群２３とを備え、その上部に無線ＩＣタグリーダ２１とシャッタボタン（レリーズＳＷ）（不図示）とを備えている。無線ＩＣタグリーダ２１は、撮像装置２０の上部に設けられたアクセサリーシュー（フラッシュシュー）に対して着脱可能に装着される。なお、無線ＩＣタグリーダ２１の装着位置は、アクセサリーシュー（フラッシュシュー）に限定されない。例えば、無線ＩＣタグリーダ２１を撮像装置２０に内蔵するようにしてもよい。
【００２２】
無線ＩＣタグリーダ２１は、無線ＩＣタグ１１との間で電波を介して無線交信可能な装置であり、無線ＩＣタグ１１に記録されたタグ情報を取得する機能を有している。なお、この無線ＩＣタグリーダ２１は、いわゆるパッシブタイプの無線ＩＣタグ１１に対しては、電源供給をも行う。無線ＩＣタグリーダ２１の内部構成については後述する。
【００２３】
図３（ｂ）中のＬＣＤ２２は、液晶及び光源を用いて構成される表示部である。ＬＣＤ２２では、ライブビュー画像表示、記録画像の再生表示、又は、設定メニュー表示等が行われる。
【００２４】
操作ボタン群２３は、撮像装置２０の動作環境の設定をするメニューボタン２３ａ、ズーム操作などに用いられる十字キー２３ｂ及び撮像装置２０の動作モードを選択する撮影／再生モード選択スイッチ２３ｃ等からなる。
【００２５】
次に、撮像装置２０の内部構成について説明する。図４は、撮像装置２０の内部機能を示すブロック図である。
【００２６】
ズーム制御部３１は、レンズ光学系に存在するズームレンズ３４を操作者（ユーザ）等の指示に応じて駆動し、焦点距離（すなわち画角ないしズーム変倍率）を変更する機能を有している。また、焦点調節部３２は、レンズ光学系に存在するフォーカスレンズ３５を駆動して、被写体を合焦状態に導く機能を有している。
【００２７】
露出制御部３３は、撮像部３６において絞りと撮像素子（例えば、ＣＣＤ）（不図示）の露光時間（シャッタスピード）とを調節し、取得される画像を適正な明るさに調節する露出制御を行う機能を有している。
【００２８】
上記レンズ光学系を通して入射した被写体像は、撮像部３６内の撮像素子（ＣＣＤ）で光電変換され、さらにＡ／Ｄ変換を経てデジタル信号に変換されて画像データとして取得される。また、この画像データに対して、画像処理部３７において、ホワイトバランス補正、γ補正処理等が施される。
【００２９】
この後、処理済み画像データは、記録媒体（メモリカード等）３８に書き込まれ、あるいは、ライブビュー表示用画像としてＬＣＤ２２に表示される。
【００３０】
操作部３９は、ユーザが操作入力可能なボタンやスイッチ等によって構成される。具体的には、操作部３９は、上述の操作ボタン群２３、電源のオンおよびオフを切り替える電源スイッチ、およびユーザが撮影タイミングを指示するためのシャッタボタン（レリーズＳＷ）等を含んでいる。なお、シャッタボタン（レリーズＳＷ）は、ユーザ操作による半押し状態（以下、Ｓ１状態とも称する）と全押し状態（以下、Ｓ２状態とも称する）とを区別して検出可能な２段階押し込みスイッチとして機能する。全押し（Ｓ２）状態が検出されるとレリーズＳＷがオン（ＯＮ）されたと判定され、本撮影が開始される。
【００３１】
電力供給源として利用する電源部４１は、全体制御部４０を始めとする撮像装置２０の上記各部に動作電力を供給する。
【００３２】
全体制御部４０は、内部にＲＡＭ４０ａ及びＲＯＭ４０ｂを備えたマイクロコンピュータによって構成され、予めＲＯＭ４０ｂ内に記憶されている制御プログラムをマイクロコンピュータが実行することにより、上記各部を統括的に制御する機能を有している。
【００３３】
次に、無線ＩＣタグリーダ２１について説明する。図５は、無線ＩＣタグリーダ２１の内部構成を示す図である。
【００３４】
図５に示されるように、無線ＩＣタグリーダ２１は、狭指向性アンテナ５１（以下、単に「アンテナ」とも称する）と駆動部５２とデータ解析部５３とを備えている。
【００３５】
アンテナ５１は、無線ＩＣタグ１１との交信アンテナとして機能し、一方向に極めて強い指向性（狭指向性）を有し、また、駆動部５２は、当該アンテナ５１を、全体制御部４０によって指定された領域内（以下、「走査領域ＲＳ」とも称する）を走査処理するように駆動（走査駆動）する機能を有している。このため、全体制御部４０において、被写界において撮像装置２０との交信の対象となる領域（以下、「交信対象領域」とも称する）を自由に調整することが可能となる。すなわち、走査領域ＲＳは交信対象領域に相当するため、アンテナ５１の走査領域ＲＳの位置及び大きさを変更することによって、被写界における交信対象領域を変更することが可能になる。
【００３６】
そして、交信によって無線ＩＣタグ１１から取得された情報は、データ解析部５３において解析され、全体制御部４０に送信される。
【００３７】
また、撮像装置２０は、次述するように、無線ＩＣタグ１１から取得された被写体情報に基づいて撮影動作を制御する。これによれば、被写体に応じた撮影動作を行うことが可能になる。
【００３８】
以下、上述の機能を備えた撮像装置２０の動作について説明する。
【００３９】
＜２．動作＞
＜撮影動作＞
図６は、撮像装置２０の撮影動作等を示すフローチャートである。
【００４０】
まず、操作者（ユーザ）によって撮像装置２０の電源がオン（ＯＮ）されると（ステップＳＰ１）、無線ＩＣタグリーダ２１に電力が供給され、撮像装置２０は無線ＩＣタグ１１との交信が可能な状態になる（ステップＳＰ２）。
【００４１】
次に、再生モードおよび撮影モードのいずれが選択されているか否かを判別し（ステップＳＰ３）、再生モードが選択されている場合には、再生モードに移行して再生モードの各処理を行い、撮影モードが選択されている場合には、撮影モードに移行してステップＳＰ４以降の各処理を行う。ここでは、撮影モードが選択されているものとして説明を続ける。
【００４２】
ステップＳＰ４においては、ライブビュー画像が撮像部３６によって撮像される。撮像部３６により撮像された被写体像は、画像処理部３７等において所定の処理が施された後、ＬＣＤ２２にライブビュー表示される（ステップＳＰ５）。また、ライブビュー画像の情報を用いて、色補正パラメータ（色補正用ゲイン）、露出制御値（絞り、シャッタスピード、ＩＳＯ感度）等の撮影パラメータが決定されるとともに、合焦動作が行われてフォーカスレンズ位置が決定される（ステップＳＰ６）。なお、ステップＳＰ６で決定される撮影パラメータは、タグ情報（被写体情報）以外のデータに基づいて決定されるものであり、タグ情報（被写体情報）を反映したものではない。また、後述するように、ステップＳＰ６で決定された撮影パラメータは、本撮影前にステップＳＰ１２において変更されることがある。
【００４３】
その後、ステップＳＰ７において、被写体に設けられた無線ＩＣタグ１１のタグ情報が撮像装置２０の無線ＩＣタグリーダ２１によって受信されたか否かが判定される。
【００４４】
タグ情報が受信されていない場合は、シャッタボタン（撮影スイッチ）が押下されたと判定（ステップＳＰ１３）されるときを除き、再びステップＳＰ３に戻る。シャッタボタンが押下されたと判定されるときには、本撮影画像の記録動作（ステップＳＰ１４）等が行われる。
【００４５】
一方、タグ情報が受信されている場合はステップＳＰ８に進み、受信されたタグ情報がデータ解析部５３において解析される。これによって、撮影対象の被写体に関する被写体情報が取得される。そして、受信されたタグ情報の中に撮影禁止情報が存在するか否かが判定（ステップＳＰ９）される。
【００４６】
撮影禁止情報が存在する場合（詳細には、被写体の撮影を禁止する旨が被写体のタグ情報に規定されている場合）には、撮像装置２０は、対象被写体の撮影が禁止されていることを警告する図７のような警告表示をＬＣＤ２２に所定期間（たとえば数秒）にわたって表示するとともに（ステップＳＰ１０）、レリーズロックを行って撮影動作を禁止する（ステップＳＰ１１）。これによれば、例えば美術館内の展示物（絵画等）に設けられた無線ＩＣタグに「撮影禁止情報」が記録されている場合には、当該展示物の撮影を回避することが可能である。なお、図７においては、モザイク状に加工されたライブビュー画像上に、「撮影禁止情報を受信しました」の文字が重ねて表示されている状態の警告表示が示されている。
【００４７】
その後、電源オフ判定（ステップＳＰ１５）を行い、電源がオフにされている場合を除き再びステップＳＰ３に戻る。電源がオフにされている場合には、無線ＩＣタグリーダ２１への給電を停止し（ステップＳＰ１６）、撮影動作を終了する。
【００４８】
一方、撮影禁止情報が存在しない場合（詳細には、被写体の撮影を禁止する旨が被写体のタグ情報に規定されていない場合）には、ステップＳＰ９からステップＳＰ１２に移行し、撮影条件の変更処理が行われる。この変更処理（ステップＳＰ１２）については後述する。
【００４９】
その後、シャッタボタンが押下されたと判定（ステップＳＰ１３）される場合を除き、再びステップＳＰ３に戻る。シャッタボタンが押下されたと判定される場合には、本撮影画像の記録動作（ステップＳＰ１４）等が行われる。
【００５０】
ステップＳＰ１４において、本撮影画像に関するデータは、図８に示すような画像ファイルＰＦとして記録される。画像ファイルＰＦは、本撮影画像の画像データＤＰに加えて、画像タグ情報ＴＰとＩＣタグ情報ＴＩとを当該画像データＤＰに関連付けて記録するファイルである。画像タグ情報ＴＰは、本撮影画像撮影時の撮影パラメータ等（たとえば、絞り、シャッタスピード、ＩＳＯ感度、焦点距離、撮影日時、画像サイズ）を含む情報であり、ＩＣタグ情報ＴＩは、ステップＳＰ８で解析されたタグ情報（被写体情報）を含む情報である。このように、ステップＳＰ１４においては、ＩＣタグ情報ＴＩが画像データＤＰに関連付けられて１つの画像ファイルＰＦ内に記録される。
【００５１】
そして、電源オフ判定（ステップＳＰ１５）を行い、電源がオフにされている場合を除き再びステップＳＰ３に戻る。電源がオフにされている場合には、無線ＩＣタグリーダ２１への給電を停止し（ステップＳＰ１６）、撮影動作を終了する。
【００５２】
以上のようにして、撮像装置２０における撮影動作が行われる。
【００５３】
つぎに、撮影条件の変更処理（ステップＳＰ１２）について説明する。
【００５４】
ステップＳＰ１２において、撮像装置２０は、撮影条件（撮影状態）を規定する撮影パラメータを、ステップＳＰ８で得られた被写体情報に基づいて設定する。この結果、撮影パラメータが、ステップＳＰ６で設定された内容から、ステップＳＰ１２で設定された内容に変更される。
【００５５】
撮影パラメータとしては、様々な種類のものが存在する。たとえば、（１）色補正パラメータ、（２）露出制御値、および（３）焦点距離などが存在する。以下では、これらの撮影パラメータの変更動作について順次に説明する。なお、各種撮影パラメータのうち、任意の１つの条件のみが被写体情報に応じて設定されてもよく、あるいは、複数の条件の任意の組み合わせが被写体情報に応じて設定されてもよい。
【００５６】
まず、（１）色補正パラメータの設定動作について説明する。
【００５７】
図９は、ステップＳＰ１２における色補正パラメータの設定動作（ステップＳＰ２０）を示すフローチャートである。
【００５８】
図９に示すように、撮像装置２０は、ステップＳＰ８で解析されたタグ情報から、被写体の色に関する情報（色情報）を取得し（ステップＳＰ２１）、取得された色情報に基づいて、色補正パラメータ（詳細には、色補正用ゲイン）を決定する。「色補正パラメータ」は、撮影画像のホワイトバランスを規定する撮影パラメータである。
【００５９】
図１０は、色補正パラメータによる色調整を示す図である。図１０に示すように、撮像装置２０は、各Ｒ，Ｇ，Ｂ成分ごとに個別の係数（色補正用ゲイン）を乗じることによって、各成分間のバランスを調整する。この色調整は、ホワイトバランスの調整に相当する。
【００６０】
ここでは、図２に示すように、無線ＩＣタグ１１内の被写体情報の中に、被写体である製品（たとえば、衣料品、かばん、車等）の色情報（たとえばＬ*ａ*ｂ*表色系（以下、Ｌａｂ表色系とも表記する）で表現されたデータ）が含まれている場合を想定する。また、被写体の代表的な１色（より詳細には、その占有面積が最も大きな色）の情報が被写体情報として記録されているものとする。
【００６１】
撮像装置２０は、撮影画像（ライブビュー画像）において被写体のうち最も占有面積が大きな同一色の部分を抽出し、当該抽出された部分の色が、タグ情報で指定された色になるように色補正用ゲインを決定して、ホワイトバランスを調整する。なお、図２に示すように、タグ情報内の色に関する指定データがＬａｂ表色系で表現される場合には、この指定データをＲＧＢ表色系によるデータに変換した上で、上記のホワイトバランスの調整動作を行えばよい。
【００６２】
このような調整動作によれば、無線ＩＣタグ１１からの被写体情報（詳細には、被写体の色に関する情報）に基づいて、ホワイトバランスが制御されるので、被写体の色をより正確に再現した画像を撮影することができる。特に、様々な環境光の下で撮影される場合においても、被写体の色を忠実に再現することが可能である。
【００６３】
つぎに、（２）露出制御値の設定動作について説明する。
【００６４】
図１１は、ステップＳＰ１２における露出制御値の設定動作（ステップＳＰ３０）を示すフローチャートである。
【００６５】
図１１に示すように、撮像装置２０は、ステップＳＰ８で解析されたタグ情報から、被写体の輝度に関する情報（輝度情報）、具体的には色情報Ｌａｂのうちの輝度値Ｌの値、を取得し（ステップＳＰ３１）、取得された輝度情報に基づいて、露出制御値（絞り、シャッタスピード）を決定する。「露出制御値」は、撮影画像の露出状態を規定する撮影パラメータである。
【００６６】
ここでは上記と同様に、被写体である製品の代表的な１色の色情報（たとえばＬａｂ表色系で表現されたデータ）が無線ＩＣタグ１１に記録されているものとする。
【００６７】
撮像装置２０は、撮影画像（ライブビュー画像）において被写体のうち最も占有面積が大きな同一色の部分を抽出し、当該抽出された部分の色における輝度が、タグ情報で指定された輝度になるように、露出制御値を決定する。なお、図２に示すように、タグ情報内の色に関する指定データがＬａｂ表色系で表現される場合には、値Ｌ，ａ，ｂのうち、値Ｌを輝度値として採用すればよい。
【００６８】
具体的には、ＡＰＥＸ値を用いた手法において、所定のプログラム線図に従って、絞りに関する値ＡＶとシャッタスピードに関する値ＴＶとを求めればよい。詳細には、まず、タグ情報（被写体情報）で指定された輝度値（Ｌ）に相当する値を値ＢＶとして求め、ＩＳＯ感度に関する値ＳＶとの和（ＢＶ＋ＳＶ）を求める。そして、値ＢＶと値ＳＶとの和（ＢＶ＋ＳＶ）が、値ＡＶと値ＴＶとの和（ＡＶ＋ＴＶ）に等しくなるような、値ＡＶと値ＴＶとの組み合わせを、所定のプログラム線図に従って求めれば良い。
【００６９】
このような調整動作によれば、無線ＩＣタグ１１からの被写体情報（詳細には、被写体の輝度に関する情報）に基づいて、露出制御値が制御されるので、被写体の輝度をより正確に再現した画像を撮影することができる。
【００７０】
つぎに、（３）焦点距離の設定動作について説明する。
【００７１】
図１２は、ステップＳＰ１２における焦点距離の設定動作（ステップＳＰ４０）を示すフローチャートである。
【００７２】
図１２に示すように、撮像装置２０は、ステップＳＰ８で解析されたタグ情報から、被写体のサイズ（大きさ）に関する情報（具体的には、高さＨ、幅Ｗ、奥行きＤ）を取得（ステップＳＰ４１）するとともに、被写体距離（撮像装置２０から被写体までの距離）Ｄを算出する（ステップＳＰ４２）。また、取得されたサイズ情報と被写体距離Ｄとに基づいて、撮影画像の焦点距離（ズーム変倍率）に対応するズームレンズ位置を求め（ステップＳＰ４３）、求められた位置にズームレンズを移動する（ステップＳＰ４４）。すなわち、被写体のサイズ情報に基づいて、焦点距離（詳細にはズームレンズ位置）を決定する。「焦点距離」は、撮影画像の画角を規定する撮影パラメータである。なお、説明の簡単化のため、ここでは、被写体である製品の高さＨのみに応じて、ズーム変倍率を決定する場合について説明する。
【００７３】
撮像装置２０は、被写体の高さＨとＣＣＤの高さｈと被写体距離Ｄとを用いた次式（数１）を満たす焦点距離ｆの値を算出し、焦点距離ｆを当該値に変更する。なお、この数１は、撮影倍率（像倍率）βが、ｈ／Ｈともｆ／Ｄとも表される（すなわちβ＝ｈ／Ｈ＝ｆ／Ｄ）ことから導かれる。あるいは、図１３に示すような幾何学的関係（ｆ／Ｄ＝ｈ／Ｈ）によっても導かれる。
【００７４】
【数１】
2006229833.tif 000003
【００７５】
この焦点距離ｆによれば、高さＨを有する被写体をＣＣＤの高さ方向一杯に撮影することが可能である。たとえば、図１５に示すように、図１４に示される状態よりもさらに大きな状態（ここでは画面一杯に）で、被写体を撮影することができる。なお、図１４および図１５は、それぞれ、異なる焦点距離ｆ１，ｆ２（ｆ１＜ｆ２）で同一被写体（カバン）を撮影した画像Ｇ１，Ｇ２を示す図である。
【００７６】
このようなズーム調整動作によれば、無線ＩＣタグ１１からの被写体情報（詳細には、被写体サイズに関する情報）に基づいて、ズーム変倍率（焦点距離）が制御されるので、画面内において被写体を適切な大きさで撮影することが可能になる。なお、上記においては、被写体の高さＨ自体を用いていたが、これに限定されず、被写体の高さＨに調整値ΔＨを加えた値を、数１における値Ｈとして代入して上記の焦点距離ｆ（ｆ２）を求めるようにしてもよい。これによれば、様々な角度からの撮影時において、被写体が画面から「はみ出す」ことをより確実に防止できる。また、上記のように、被写体情報に応じて焦点距離を自動調節した後、ユーザ操作による焦点距離の微調整を許可するようにしてもよい。
【００７７】
以上のように、撮像装置２０は、無線ＩＣタグ１１からの被写体情報（色情報、輝度情報、サイズ情報等）に応じて撮影パラメータ（色補正パラメータ、露出制御値、焦点距離等）を設定し、設定された撮影パラメータに基づいて、撮影動作を制御することによって、被写体情報に応じて被写体を適切に撮影することが可能になる。
【００７８】
なお、上記においては、被写体情報自体に応じて各種の撮影パラメータを設定し撮影動作を制御する場合（図６のステップＳＰ１２）を例示したが、被写体情報受信時における受信レベル（受信電波強度、受信強度あるいは交信強度とも称する）に応じて、撮影パラメータ（例えばフォーカスレンズ位置）を設定することもできる。詳細には、複数のＡＦエリア（「焦点検出領域」とも称する）の中から、最も高い受信レベルの無線ＩＣタグに対応する被写体が含まれるＡＦエリアを選択し、フォーカスレンズ位置を、当該選択されたＡＦエリアに関する合焦位置に変更するようにしてもよい。各ＡＦエリアに関する合焦位置は、当該ＡＦエリアにおけるＡＦ評価値（たとえば当該ＡＦエリア内の画像データについてのコントラスト値）に基づいて求められる。
【００７９】
図１６から図１８は、このような一例を示す図である。図１６は、変更動作を示すフローチャートであり、図１７および図１８は、ＡＦエリアの選択動作を示す図である。なお、図１６の処理は、例えば、図６のステップＳＰ１２において実行されればよい。
【００８０】
図１６に示すように、まず、ステップＳＰ５１において、被写体の位置を特定する。
【００８１】
ここでは、図１６の処理に先立って、アンテナ５１の走査処理および交信処理が、撮影領域Ｒ０内の３つのＡＦエリアＲ１，Ｒ２，Ｒ３のそれぞれを走査領域ＲＳとして既に行われているものとする。また、この走査時において、３つのＡＦエリアＲ１，Ｒ２，Ｒ３のそれぞれに対応する受信レベルＬＶ１，ＬＶ２，ＬＶ３も算出されているものとする。各受信レベルＬＶ１，ＬＶ２，ＬＶ３は、それぞれ、ＡＦエリアＲ１，Ｒ２，Ｒ３内の被写体に設けられた各無線ＩＣタグ１１との交信における受信レベルとして求められる。
【００８２】
ステップＳＰ５１では、３つの受信レベルＬＶ１，ＬＶ２，ＬＶ３のうち最も大きい受信レベルに対応するＡＦエリア（最大受信レベルエリアとも称する）ＲＭに主被写体が存在するものとみなす。ここでは、受信レベルＬＶ３が最も大きく、ＡＦエリアＲ３が最大受信レベルエリアＲＭである場合を想定する。
【００８３】
そして、複数のＡＦエリアの中から最大受信レベルエリアＲＭ（図１８ではＡＦエリアＲ３）が焦点調節対象領域（合焦対象領域）として選択される（ステップＳＰ５２）。この選択動作によれば、仮に図１７に示すように中央のＡＦエリアＲ２が焦点調節対象領域として選択されていた場合であっても、図１８に示すように右側のＡＦエリアＲ３が焦点調節対象領域として選択された状態へと変更される。
【００８４】
さらに、最大受信レベルエリアＲＭの被写体が合焦状態となるように、焦点調節動作が行われる（ステップＳＰ５３）。より詳細には、各フォーカスレンズ位置（フォーカスレンズ３５の位置）に対応する複数の画像について、ＡＦエリアＲ３内のコントラストをそれぞれ算出し、複数の画像のうち最もそのコントラストが高い画像に対応するフォーカスレンズ位置が合焦位置として求められ、当該合焦位置へとフォーカスレンズ３５が移動される。
【００８５】
このような合焦動作によれば、無線ＩＣタグとの交信における受信レベルに基づいて、主被写体が決定されフォーカスレンズ位置が制御される。
【００８６】
＜再生動作＞
次に、この撮像装置２０における再生動作について説明する。
【００８７】
撮像装置２０は、再生モードにおいて、再生対象画像の画像ファイルＰＦ（図８）を記録媒体３８から読み出し、再生対象画像の再生画面ＰＴ１をＬＣＤ２２に表示する。
【００８８】
図１９は、ＬＣＤ２２における再生画面ＰＴ１を示す図である。再生画面ＰＴ１においては、画像ファイルＰＦの画像データＤＰに基づく再生画像が表示されるとともに、当該画像ファイルＰＦのＩＣタグ情報ＴＩ内の被写体情報が当該再生画像の上に重ねられて表示（オーバーレイ表示）される。詳細には、被写体である商品のメーカ名、商品名、製造年月日、およびサイズが被写体情報として表示されている。
【００８９】
このように、画像ファイルＰＦ内のＩＣタグ情報ＴＩを読み出し、ＩＣタグ情報ＴＩに基づく被写体情報を再生画像とともに表示すれば、再生対象の被写体に関する情報を容易に閲覧することができる。
【００９０】
また、図２０〜図２２は、再生モードにおける状態遷移を示す図である。
【００９１】
図２０に示すように、再生画面ＰＴ１がＬＣＤ２２に表示された状態でメニューボタン２３ａが押下されると、再生メニュー画面ＰＴ２がＬＣＤ２２に表示される。この再生メニュー画面ＰＴ２においては、「検索」、「コピー」、「消去」等のメニュー項目が表示されている。なお、「検索」以外の項目、例えば、「コピー」および「消去」の各項目は、直前に表示されていた再生画面ＰＴ１の画像に関する再生処理（コピー処理および消去処理）を行うものであり、「検索」の項目は、メモリカード内の複数の画像の中から、所望の条件に合致する画像を検索するものである。
【００９２】
まず、「検索」について説明する。
【００９３】
図２０に示すように、再生メニュー画面ＰＴ２において十字キー２３ｂを操作することによって「検索」を選択すると、検索条件を指定するための画面ＰＴ３がＬＣＤ２２に表示される。画面ＰＴ３には、「撮影日」、「商品名」、「特徴」...などの条件が列記されている。そして、これらの条件のうち所望の条件を選択すると、さらに詳細な条件を指定するための画面ＰＴ４がＬＣＤ２２に表示される。図２０には画面ＰＴ３において「商品名」が選択された場合の画面ＰＴ４が示されている。画面ＰＴ４には、「車」、「衣料品」、「施設」...などの詳細検索条件が記載されている。このようにして順次に検索条件が追加され対象が絞り込まれていった後、検索条件に合致する画像が選択されてＬＣＤ２２に表示される。
【００９４】
この検索動作は、各画像に付されたＩＣタグ情報ＴＩおよび画像タグ情報ＴＰを参照して行われる。ＩＣタグ情報ＴＩ（図８）は、上述したように、無線ＩＣタグ１１から受信され、画像データＤＰに関連付けて自動的に保存された情報である。このようなＩＣタグ情報ＴＩが検索用の情報として利用されるので、検索目的のキーワード等を改めて入力する必要がなく、当該キーワード等を入力する手間を省くことができる。したがって、より多くの対象物を容易に検索の対象とすることが可能である。すなわち、的確な検索動作を容易に実現できる。
【００９５】
つぎに、「コピー」について説明する。
【００９６】
再生メニュー画面ＰＴ２において「コピー」を選択すると、原則としてコピー処理が実行され、直前の再生画面ＰＴ１で表示されていた画像のコピー画像（画像ファイル）が指定フォルダに生成される。ただし、撮像装置２０は、コピー処理実行前に、コピー対象となる画像ファイルＰＦのＩＣタグ情報（被写体情報）ＴＩ内に、コピー禁止を指定した情報が含まれているか否かを判定する。コピー禁止を指定した情報が含まれている場合には、図２１に示すような警告画面ＰＴ５を所定期間表示し、コピー禁止が指定されていることを知らせるとともに、コピー動作を行うことなく画面ＰＴ２に復帰する。これによれば、被写体に設けられた無線ＩＣタグ１１内に記録されていたコピー禁止指定情報に基づいて、撮像装置２０内でのコピー動作の禁止を実現することができる。
【００９７】
さらに、「消去」について説明する。
【００９８】
再生メニュー画面ＰＴ２において「消去」を選択すると、原則として消去処理が実行され、直前の再生画面ＰＴ１で表示されていた画像（画像ファイル）が消去される。ただし、撮像装置２０は、消去処理実行前に、消去対象となる画像ファイルＰＦのＩＣタグ情報（被写体情報）ＴＩ内に、消去禁止を指定した情報が含まれているか否かを判定する。消去禁止を指定した情報が含まれている場合には、図２２に示すような警告画面ＰＴ６を所定期間表示し、消去禁止が指定されていることを知らせるとともに、消去動作を行うことなく画面ＰＴ２に復帰する。これによれば、被写体に設けられた無線ＩＣタグ１１内に記録されていた消去禁止指定情報に基づいて、撮像装置２０内での消去動作の禁止を実現することができる。
【００９９】
＜３．その他＞
以上、この発明の実施の形態について説明したが、この発明は上記説明した内容のものに限定されるものではない。
【０１００】
たとえば、上記実施形態においては、被写体の色情報を指定するデータが、Ｌａｂ表色系で表現される場合を例示したが、これに限定されず、その他各種の表色系で表現されてもよい。
【０１０１】
また、上記実施形態においては、図６のステップＳＰ１０において、ＬＣＤ２２に警告表示を行うことによって、被写体に関する撮影動作が禁止されている旨を警告する場合を例示したが、音声出力等によって警告を行うようにしてもよい。
【０１０２】
なお、上述した具体的実施形態には以下の構成を有する発明が含まれている。
【０１０３】
（１）撮像装置であって、
被写体に設けられた無線ＩＣタグとの間で無線交信を行う手段と、
前記無線ＩＣタグとの無線交信における交信強度に基づいて撮影動作を制御する制御手段と、
を備えることを特徴とする撮像装置。
【０１０４】
（２）撮像装置であって、
被写体に設けられた無線ＩＣタグとの間で無線交信を行うことによって、前記無線ＩＣタグに記憶された被写体情報を前記無線ＩＣタグから取得する手段と、
前記被写体に関する前記被写体情報と前記被写体に関する撮影画像の画像データとを関連付けて記憶する手段と、
を備えることを特徴とする撮像装置。
【０１０５】
（３）再生装置であって、
撮影画像内の被写体に設けられた無線ＩＣタグから取得された被写体情報であって前記撮影画像の画像データに関連付けて記録されていた被写体情報を読み出す手段と、
読み出された前記被写体情報に応じて、前記撮影画像の再生動作を制御する制御手段と、
を備えることを特徴とする再生装置。
【図面の簡単な説明】
【０１０６】
【図１】被写体に備え付けられる無線ＩＣタグの構成を示す図である。
【図２】無線ＩＣタグに格納されたタグ情報の一例を示す図である。
【図３】本発明に係る撮像装置の外観構成を示す図である。
【図４】本発明に係る撮像装置の内部機能を示すブロック図である。
【図５】無線ＩＣタグリーダの内部構成を示す図である。
【図６】撮像装置の動作を示すフローチャートである。
【図７】撮影禁止に関する警告表示を示す図である。
【図８】画像ファイルの構成を示す図である。
【図９】ホワイトバランスの調整動作を示すフローチャートである。
【図１０】色補正パラメータを用いた色調整を示す図である。
【図１１】露出制御値の調整動作を示すフローチャートである。
【図１２】焦点距離の調整動作を示すフローチャートである。
【図１３】焦点距離と被写体サイズ等との関係を示す図である。
【図１４】比較的小さな焦点距離で撮影した画像を示す図である。
【図１５】比較的大きな焦点距離で撮影した画像を示す図である。
【図１６】フォーカス調整動作を示すフローチャートである。
【図１７】ＡＦエリアの選択動作を示す図である。
【図１８】ＡＦエリアの選択動作を示す図である。
【図１９】再生画面を示す図である。
【図２０】再生モードにおける状態遷移図である。
【図２１】コピー禁止に関する警告表示画面を示す図である。
【図２２】消去禁止に関する警告表示画面を示す図である。
【符号の説明】
【０１０７】
２０  撮像装置
２１  無線ＩＣタグリーダ
３４  ズームレンズ
３５  フォーカスレンズ
３８  記録媒体
Ｄ  被写体距離
ＤＰ  画像データ
ＬＶ１，ＬＶ２，ＬＶ３  受信レベル
ＰＦ  画像ファイル
ＴＩ  タグ情報
ＴＰ  画像タグ情報
【図１】
2006229833.tif 000004
【図２】
2006229833.tif 000005
【図３】
2006229833.tif 000006
【図４】
2006229833.tif 000007
【図５】
2006229833.tif 000008
【図６】
2006229833.tif 000009
【図７】
2006229833.tif 000010
【図８】
2006229833.tif 000011
【図９】
2006229833.tif 000012
【図１０】
2006229833.tif 000013
【図１１】
2006229833.tif 000014
【図１２】
2006229833.tif 000015
【図１３】
2006229833.tif 000016
【図１４】
2006229833.tif 000017
【図１５】
2006229833.tif 000018
【図１６】
2006229833.tif 000019
【図１７】
2006229833.tif 000020
【図１８】
2006229833.tif 000021
【図１９】
2006229833.tif 000022
【図２０】
2006229833.tif 000023
【図２１】
2006229833.tif 000024
【図２２】
2006229833.tif 000025